(57)【要約】      （修正有）【課題】ボルトの頭部がどの方向に向いていても容易に締付具の先端部の６角棒部分を、ボルトの頭部の上面に穿設された６角穴に位置合わせができるようにした締付具を提供する。  【解決手段】頭部の上面に６角穴を穿設して成るボルトの締付具であって、締付具の６角棒部分の先端部に前記６角穴を探索しやすく又嵌合しやすくする機能を発揮する突起を設けた構成としたことを特徴とする。【選択図】図１
0003120858.tif 000002
【実用新案登録請求の範囲】
【請求項１】
頭部の上面に６角穴を穿設して成るボルトの締付具であって、締付具の６角棒部分の先端部に前記６角穴を探索しやすく又嵌合しやすくする機能を発揮する突起を設けた構成としたことを特徴とする頭部の上面に６角穴を穿設して成るボルトの締付具。
【考案の詳細な説明】
【技術分野】
【０００１】
本考案は、家具、工作機械、その他の物を構成するために用いる締め付け対象物である部材同士を、頭部の上面に６角穴を穿設して成るボルトの締めによって螺着緊締する場合に用いられる締付具に関するものである。
【背景技術】
【０００２】
ボルト締めによって締め付け対象物である部材同士を螺着緊締して組み立てる物体は家具、工作機械その他の物としていくらでもある。
そのボルトには、頭部の上面にマイナス溝、プラス溝を穿設したものがあり、或いは６角穴を穿設したものがある。
【０００３】
前記した頭部の上面に６角穴を穿設して成るボルトの締付具は、先端部を前記ボルトの頭部の上面に穿設された６角穴に嵌合するように６角棒として形成されている。
【０００４】
この締付具を以て、前記したボルトを緊締する場合には、前記したボルトの頭部の上面に穿設された６角穴に、締付具の先端部の６角棒部分を嵌合して時計回りに回転して前記ボルトの締め付け部材同士の螺着緊締を行う。また、前記ボルトの緊締を緩め、或いは引き抜くときは、前記ボルトの頭部に穿設された６角穴に前記締付具の先端部の６角棒部分を嵌合して反時計回りに回転して前記ボルトの締め付けを緩め、或いは引き抜きを行う。
【０００５】
ところで、前記ボルトは、普通締付対象物の上面に穿設された上記ボルトの差し込み穴に差し込まれるようになっているが必ずしも前記ボルトを差し込む穴は締付対象物の上面から差し込むように穿設されているとは限らない。横向きになっていることもあれば、下向きになっていることもある。
このような締付対象物のボルト差し込み穴に差し込まれたボルトは、前記６角穴を穿設した頭部が横向き、或いは下向きとなって締付対象物に挿着されている。
【０００６】
このような締付対象物のボルト差し込み穴に差し込まれたボルトが緩んだり、或いは交換するため引き抜かなければならないときは、締め付けを行ったり引き抜き作業を行ったりしなければならない。
【０００７】
ところで、上記作業を行うとき、前記ボルトの頭部に穿設した前記６角穴に、締付具の先端部の６角棒部分を嵌合するのには、前記６角穴の形状と締付具の先端部の６角棒部分が合致して位置させなければならない。これが合致させられないときは、たとえ前記６角穴の穿設箇所に締付具の先端部の６角棒部分を近づけて前記６角穴の穿設面に締付具の先端部の６角棒部分の面を合致させても前記穴と締付具の６角棒部分の形状を合致しない状態で位置させたときは該面がスライドしてしまい、前記６角穴に前記６角棒部分を嵌合することはできない。
【０００８】
従って、前記ボルトの頭部の６角穴が目視できないか、或いは目視しにくい方向に向いているときは、容易に締付具の先端部の６角棒部分を前記ボルトの頭部の６角穴に嵌合することができない。
即ち、その位置合わせに手間取る。このことは作業時間を浪費することになり、作業効率を低下させることになる。
【考案の開示】
【考案が解決しようとする課題】
【０００９】
本考案は、上記した不都合を解消し、前記ボルトの頭部がどの方向に向いていても容易に締付具の先端部の６角棒部分を、ボルトの頭部の上面に穿設された６角穴に位置合わせができるようにした締付具を提供しようとするものである。
【課題を解決するための手段】
【００１０】
本考案に係る締付具は、頭部の上面に６角穴を穿設して成るボルトの締付具であって、締付具の６角棒部分の先端部に前記６角穴を探索しやすく又嵌合しやすくする機能を発揮する突起を設けた構成とした。
【考案の効果】
【００１１】
本考案に係る締付具の６角棒部分の先端に頭部の上面に６角穴を穿設して成るボルトの前記６角穴を探索し、嵌合しやすくする突起を設けたことにより、前記６角穴がどの方向に向いて部材に差し込まれるようになっていても、前記突起が前記６角穴に差し込まれたときはこれを手がかりにして前記６角穴の形状を容易に探し出して締付具の６角棒部分の先端を前記６角穴に容易に嵌合することができ、締付具の操作が効率的に行える。
【実施例１】
【００１２】
本考案の締付具を以て締め付けるボルトは、締付対象物である家具、工作機械、その他の物の部材同士を緊締するために、部材同士に穿設されたネジ穴にネジ込まれるボルトであって、図１に示すように頭部の上面２に６角穴３を穿設されたボルト１である。
【００１３】
このボルトを以て、家具、工作機械の部材同士（図示せず）を組み合わせるには、該部材に穿設されたネジ穴を合わせて、そのネジ穴に前記ボルトをネジ込んで前記部材同士を緊締して家具、工作機械を組み立てることになる。
【００１４】
前記ボルトは前記の通りに構成されているので、その緊締には、ボルト１の頭部の上面２に穿設された６角穴３に締付具４の先端は６角棒部分５として形成され、その６角棒部分５の先端を前記６角穴３に嵌合して時計回りにボルトを回転して、家具、工作機械の部材を緊締する。
【００１５】
また、家具、工作機械を解体させるためには緊締された部材同士の緊締を解除するため部材同士を緊締している前記ボルト１の頭部の上面２に穿設された６角穴３に、締付具４の先端の６角棒部分５を嵌合して反時計回りに回転して、前記ボルトを前記部材のネジ穴から引き抜いて、前記部材の緊締を解除してそれぞれの部材とする。
【００１６】
これまでの締付具４は、６角穴棒部分５の先端部分の面が前記ボルト１の頭部の上面２に穿設した６角穴３と一致する部分に位置したとしても、両者の形状を一致されて位置させないときはスライドして締付具４の６角棒部分５の先端部を前記６角穴３に嵌合することができなかった。ボルト１の頭部の上面２の６角穴３が真上を向いて配されたときは前記６角穴３と前記６角棒部分の先端の位置を合わせるのに不都合が生じないが、前記６角穴３が横向き、下向きに位置したときは、せっかく締付具４の６角棒部分５の先端部分が前記６角穴３面と一致させて位置させたとしてもその形状を一致させるのに手間取った。従って、作業能率が低下すると言う不都合を生じた。
【００１７】
本考案の締付具４は、前端部を６角棒部分５としているが、前記の通り、その６角棒部分に突起部６を設けてあるので、前記ボルトの締め付け、或いは締め付け解除には、前記締付具４の６角棒部分５の先端の突起部６が、前記ボルト１の頭部の上面２に当接しさえすれば、前記ボルト１の頭部の上面２に穿設した６角穴３の位置周辺を多少移動させるだけで、前記締付具４の６角棒部部５の先端の突起部６が前記ボルト１の頭部の上面２に６角穴３を探り当て突入することができる。そしてその突起部６を前記６角穴３に突入させたときは、その状態で、前記締付具４の６角棒部分５の先端を前記６角穴の形状に容易に合致させることができる。その結果、前記６角棒部分５の先端部を前記６角穴に嵌合することができる。
【００１８】
この状態で、締付具の先端部を時計方向、反時計方向に回動すれば、前記ボルトの頭部上面に穿設した６角穴の形状に、締付具の先端部の６角棒部分の形状を合致させて、前記穴に前記６角棒部分を嵌合することができる。
【００１９】
即ち、前記ボルトの締め付け、締め付け解除を容易にすることができ、これまでのような前記穴と前記６角棒部分の嵌合に手間取るという不都合を解消できる。
【図面の簡単な説明】
【００２０】
【図１】頭部の上面に６角穴を設けて成るボルトと、そのボルトの締付具の斜視図。
【符号の説明】
【００２１】
１    ボルト  
２    上面
３    ６角穴
４    締付具
５    ６角棒部分
６    突起部
【図１】
0003120858.tif 000003